(57)【特許請求の範囲】
【請求項１】
薬剤拡散器具１と、この薬剤拡散器具１を身体に着用する着用具２を備え、
前記薬剤拡散器具１は、空間部３ａ、この空間部３ａを大気に開口する空気流通口６、薬剤取付部を有した器具本体３と、前記薬剤取付部に空間部３ａの空気が触れるように取り付けた薬剤４と、前記空間部３ａ内に回転自在に取り付けた回転錘５を有し、
前記薬剤拡散器具１は、器具本体３の空間部３ａ内に薬剤４と、回転錘５を取付けると共に、その器具本体３は空気流通口６を有し、
前記回転錘５は、器具本体３が動くことで回転し、その回転錘５の回転で空間部３ａ内の空気が撹拌して薬剤４の薬剤が揮散し、その揮散した薬剤が空気流通口６から大気に拡散するようにし、
前記器具本体３の裏面３ｂ又は表面３ｃに空間部３ａに開口した薬剤取付用の開口部を有し、この開口部に薬剤容器３１を取り付け、取り外し自在に取り付けて薬剤取付部とし、
前記薬剤容器３１に薬剤４を、その薬剤４に空間部３ａ内の空気が触れるように取り付けたことを特徴とする着用型薬剤拡散装置。
【請求項２】
着用具２と器具本体３を、その器具本体３の裏面３ｂが身体に向かうように着用される構成とし、
前記空気流通口６は器具本体３の裏面３ｂに形成して身体に向けて空気が流れるようにしてある請求項１記載の着用型薬剤拡散装置。
【請求項３】
回転錘５は撹拌用フィン１７を有している請求項１又は２記載の着用型薬剤拡散装置。
【発明の詳細な説明】
【技術分野】
【０００１】
本発明は、人間、家畜やペット等の動物などの身体に着用して、殺虫剤、忌避剤、芳香剤、消臭剤、除菌剤などの揮散性の薬剤を身体の周囲に拡散し、人間などの身体の周りに寄る害虫を避けたり、香りでリラックスしたりする着用型薬剤拡散装置に関する。
【背景技術】
【０００２】
特許文献１に着用型の薬剤拡散装置が開示されている。
この装置は、本体内にモータでファンを回転する送風機と薬剤保持体と電池を設けて送風機を駆動することで吸込口から放出口に空気が流通し、その放出口から放出される空気とともに薬剤保持体の薬剤が大気に拡散される装置本体と、この装置本体に取付けた着用バンドを備え、その着用バンドによって装置本体を人体、動物の体などの身体に着用できる。
【先行技術文献】
【特許文献】
【０００３】
【特許文献１】特開２００４−２４１６１号公報
【発明の概要】
【発明が解決しようとする課題】
【０００４】
前述した従来の装置は、モータでファンを回転する送風機と、そのモータ用の電源となる電池を備えているので、そのモータ、電池のために重量が重く、装置本体が大きいから、身体に着用して使用する装置としては好ましくはない。
【０００５】
また、電源として電池が使用され、電池は寿命がくると交換しなければならず、その交換作業の面倒さ、また費用もかかり経済的でない。また、寿命がきた電池はゴミとして廃棄処理問題がある。さらに電池は有害ゴミとなり環境問題を発生させる。
【０００６】
前述のことを解決するには、送風機を使用せずに薬剤保持体から薬剤を自然揮散させ、モータ、電池を必要としないようにすれば良い。
しかし、前述のように薬剤保持体から薬剤を自然揮散するだけでは、その薬剤の揮散量が少なく、実用的ではない。
【０００７】
本発明の目的は、モータ、電池を使用せずに多くの薬剤を確実に揮散して大気に拡散することができる着用型薬剤拡散装置を提供することである。
【課題を解決するための手段】
【０００８】
本発明は、薬剤拡散器具１と、この薬剤拡散器具１を身体に着用する着用具２を備え、
前記薬剤拡散器具１は、空間部３ａ、この空間部３ａを大気に開口する空気流通口６、薬剤取付部を有した器具本体３と、前記薬剤取付部に空間部３ａの空気が触れるように取り付けた薬剤４と、前記空間部３ａ内に回転自在に取り付けた回転錘５を有し、
前記薬剤拡散器具１は、器具本体３の空間部３ａ内に薬剤４と、回転錘５を取付けると共に、その器具本体３は空気流通口６を有し、
前記回転錘５は、器具本体３が動くことで回転し、その回転錘５の回転で空間部３ａ内の空気が撹拌して薬剤４の薬剤が揮散し、その揮散した薬剤が空気流通口６から大気に拡散するようにし、
前記器具本体３の裏面３ｂ又は表面３ｃに空間部３ａに開口した薬剤取付用の開口部を有し、この開口部に薬剤容器３１を取り付け、取り外し自在に取り付けて薬剤取付部とし、
前記薬剤容器３１に薬剤４を、その薬剤４に空間部３ａ内の空気が触れるように取り付けたことを特徴とする着用型薬剤拡散装置である。
【０００９】
本発明においては、着用具２と器具本体３を、その器具本体３の裏面３ｂが身体に向かうように着用される構成とし、
前記空気流通口６は器具本体３の裏面３ｂに形成して身体に向けて空気が流れるようにできる。
【００１０】
このようにすれば、身体に着用して使用する時に効率良く身体の回りに薬剤を拡散できる。
また、屋外で使用する時でも薬剤の揮散に風の影響を受け難く、薬剤の揮散が安定、かつ均一に行われ、薬剤の揮散量を一定として一定量の薬剤を大気に拡散することができる。
【００１１】
本発明においては、回転錘５は撹拌用フィン１７を有しているものにできる。
【００１２】
このようにすることで、回転錘５の回転によって空間部３ａ内の空気を効率良く撹拌できるから、薬剤４により多くの空気が触れて多量の薬剤を揮散できる。
したがって、より多くの薬剤を大気に拡散できる。
【発明の効果】
【００１３】
本発明によれば、身体に着用して身体が動くことで回転錘５が回転し、それによって薬剤４から薬剤が揮散して大気に薬剤を拡散できる。
したがって、モータ、電池を使用せずに多くの薬剤を確実に揮散して大気に拡散できる。
【図面の簡単な説明】
【００１４】
【図１】本発明の第１の実施の形態を示す平面図である。
【図２】図１のＡ−Ａ断面図である。
【図３】本発明の第２の実施の形態を示す断面図である。
【図４】上部本体の底面図である。
【図５】本発明の第３の実施の形態を示す断面図である。
【図６】本発明の第４の実施の形態を示す断面図である。
【図７】本発明の第５の実施の形態を示す断面図である。
【発明を実施するための形態】
【００１５】
本発明の第１の実施の形態を図１、図２に基づいて説明する。
薬剤拡散器具１と、この薬剤拡散器具１を人間、動物などの身体に着用する着用具２で着用型薬剤拡散装置としてある。
前記薬剤拡散器具１は、器具本体３と、この器具本体３の空間部３ａ内に設けた薬剤４と回転錘５を備え、前記器具本体３には空気流通口６が形成してある。
前記回転錘５は、器具本体３が動くことで回転するように回転可能に取付けてあると共に、その回転錘５が回転することで器具本体３の空間部３ａ内の空気が撹拌されて空気流通口６から空気が出入するようにしてある。
前記薬剤４は、空間部３ａ内の空気が撹拌することで、その空気が薬剤４に触れて薬剤を揮散する。
前記揮散した薬剤は空気と共に空気流通口６から大気に拡散される。
このようであるから、着用具２で薬剤拡散器具１を身体に着用することで、その身体が動くことで回転錘５が回転し、薬剤４から揮散した薬剤が空気流通口６から大気に拡散することができる。
したがって、モータ、電池を使用せずに多くの薬剤を確実に揮散して大気に拡散することができる。
しかも、モータ、電池を用いていないので軽量とすることが可能で、着用型薬剤拡散装置として好ましい。
【００１６】
前記器具本体３と着用具２は、その器具本体３の裏面３ｂが身体に向かうように着用される構成としてある。
前記空気流通口６は器具本体３の裏面３ｂに形成されて身体に向けて空気が流れるようにしてある。
前記器具本体３の空気流通口６以外の部分は閉塞されて、空間部３ａは空気流通口６のみで外部に開口している。
例えば、器具本体３の表面３ｃ、周面３ｄは閉塞されている。
【００１７】
このようであるから、身体に着用して使用する時に、揮散した薬剤は空気流通口６から身体に向けて拡散されるので、効率良く薬剤を身体の回りに拡散できる。
【００１８】
また、大気中の風（空気の流れ）は器具本体３の表面３ｃ、周面３ｄに主と当たり、裏面３ｂにはほとんど当たることがないので、その風によって空気流通口６から空間部３ａ内に空気が入り込むことがほとんどなく、風の影響によって薬剤４から薬剤が揮散することがほとんどない。
また、器具本体３の空間部３ａ内は、風の影響をほとんど受けないことから余分な空気の流れが起こらず、回転錘５の回転だけで空気が撹拌されるので薬剤の揮散がたえず安定かつ均一であり、使用する日時毎で揮散する薬剤量が大きく変わらない。また、風による飛散がないので無駄になる薬剤ロスも少ない。
したがって、屋外で使用する時でも風の影響を受け難く、薬剤４からの薬剤の揮散量も大きく変わらず、いつも一定量の薬剤を大気に拡散することができる。また、飛散による無駄になる薬剤も少ない。
【００１９】
要するに、身体に着用して使用する着用型薬剤拡散装置で重要なことは、基本的には屋外で使用するものであること、またその効能範囲は、主として着用部位の周りや身体の周りであることである。
すなわち屋外の使用環境は、通常、風（空気の流れ）があり、風の強弱によって薬剤の拡散範囲が大きく作用される。また、効能範囲外に飛散する。そのために無駄になる薬剤が多い。
また、モータ、電池を用いない本発明の装置で重要なことは、モータ、電池を用いる装置に比較して回転錘の回転力が弱いこと、また回転が不規則であることである。
すなわち薬剤の拡散範囲が狭く、薬剤の揮散に風の影響を受け易い。そのために薬剤の揮散（量）が不安定である。
【００２０】
そこで、前述のように風に当たりやすい器具本体３の表側である表面３ｃ、周面３ｄを閉塞することで、風を入り難くしかつ表側に飛散する無駄な薬剤をなくすと共に、空気流通口６を身体の着用側である器具本体３の裏側の裏面３ｂに形成することで、揮散した薬剤の全てを身体の周りに拡散できるようにした。さらに、前述のように空気流通口６を器具本体３の裏側の裏面３ｂに形成することで空間部３ａ内に空気が入り難くなり、いつも揮散する薬剤量が変わらず、一定量の薬剤を大気に拡散するように、薬剤の揮散に風の影響を受け難くした。
【００２１】
なお、屋内で使用するのであれば、空気流通口６は器具本体３の任意の位置、例えば表面３ｃ、周面３ｄに形成することができる。
この場合、空気流通口６を両面に形成する必要はなく、外部からの風の影響を少なくする上で、表面３ｃ、又は周面３ｄの一面だけに形成することが好ましい。
【００２２】
次に、各部の具体形状を説明する。
前記器具本体３は、下部本体１０に上部本体１１を着脱自在に連結して空間部３ａを有する形状である。
前記下部本体１０は底面板１０ａと筒状体１０ｂで上面が開口した箱形状で、その筒状体１０ｂに空気流通口６が周方向に間隔を置いて複数形成してある。
前記上部本体１１は上面板１１ａと筒状体１１ｂで下向き皿形状で、その筒状体１１ｂが前記筒状体１０ｂに着脱自在に嵌合して連結してある。
【００２３】
前記薬剤４は薬剤取付部、例えば下部本体１０の底面板１０ａの上面に形成した環状凹部１２に着脱自在に嵌め込んで取付けてある。
前記回転錘５は、回転軸１３にほぼ半円形プレート１４を取付け、そのプレート１４の外周縁に重り１５が取付けてある。
この重り１５を取付けたことで回転錘５の遠心力が大きくなり、回転錘５の回転力が大きくなる。
前記プレート１４には複数の開口部１６が形成されていると共に、上面と下面に撹拌用フィン１７が複数設けてある。
前記回転軸１３が下部本体１０の底面板１０ａと上部本体１１の上面板１１ａに亘って回転自在に支承してある。
【００２４】
このようであるから、回転錘５は器具本体３が動くことでスムーズに回転する。
また、回転錘５が回転することで、上下の撹拌用フィン１７で空間部３ａ内の空気を効率良く撹拌できる。
また、上部本体１１を取り外すと共に、回転錘５を取り外しすることで、薬剤４を交換できる。
【００２５】
前記着用具２は、身体に巻きつけて使用するものとしてある。
例えば、器具本体３の裏面３ｂにバンド２ａの長手方向中間部を取付け、そのバンド２ａの長手方向両端部に相互に係着、離脱する雄テープ片２ｂ、雌テープ片２ｃを取付ける。
そしてバンド２ａを身体（腕など）に巻きつけて雄テープ片２ｂと雌テープ片２ｃを係着することで取付けする。
前記バンド２ａは一側バンドと他側バンドに分割し、器具本体３にピン等を利用して回転自在に連結しても良いし、器具本体３に一体的に設けても良い。
また、雄テープ片２ｂ、雌テープ片２ｃの代わりにバックルタイプとしても良い。
【００２６】
前記着用具２は、人間、動物などの身体に吊り下げて着用するものであっても良い。
例えば、器具本体３にフックを取付け、このフックを人間の腰のベルトに引っかけて吊り下げて着用する。
【００２７】
前述の実施の形態では、回転錘５の回転軸１３を下部本体１０と上部本体１１で回転自在に支承したが、下部本体１０のみで回転自在に支承しても良いし、上部本体１１のみで回転自在に支承しても良い。
また、器具本体３の表裏中間に支持部材を設け、この支持部材でのみ回転軸１３を回転自在に支承しても良い。
【００２８】
例えば、図３、図４に示すように、支持部材２０を軸支持部２１に複数の支持部２２を放射状に設けた形状とし、その各支持部２２を上部本体１１に取付ける。
前記上部本体１１の筒状体１１ｂに周方向に向かう支持溝２３とこの支持溝２３の周方向一端寄りを筒状体１１ｂの下面に開口する縦溝２４を形成し、支持部２２を縦溝２４から挿入して周方向に回転移動することで支持溝２３に嵌まり合うことによって支持部材２０を取付ける。
【００２９】
前記回転錘５の回転軸１３を支持部材２０の軸支持部２１に回転自在に支持し、回転錘５を上部本体１１に回転可能に取付ける。
【００３０】
このようにすれば、着用具２を備えた下部本体１２から上部本体１１を取り外すことで薬剤４を交換することができる。
なお、回転軸１３を支持部材２０と上部本体１１又は下部本体１２とで支承することもできる。
【００３１】
前述の実施の形態では支持部材２０の支持部２２は４つとして十文字形状としたが、その支持部２２は、２つでも良いし、３つでも良いし、５つ以上でも良い。
また、支持部材２０は円板形状で、複数の穴を有するものとしても良い。
【００３２】
前述の各実施の形態では回転錘５を半円形状としたが、これに限ることはなく、任意の形状とすることができる。
例えば、扇形状。回転軸の回りに扇形部材を一対相対向して設けたほぼつづみ形状。３つの扇形部材を回転軸の回りに回転方向に等間隔で設けた形状などとすることができる。
【００３３】
前記回転錘５は、外周全長に重り１５を有しているが、外周縁の一部分にのみ重りを設けても良い。
また、回転錘５はプレート１４の上下面に撹拌用フィン１７を有しているが、上面のみ、下面のみに設けても良い。
また、プレート１４の上下面の一方に撹拌用フィン１７を設ける場合、薬剤４に対向するプレート１４の面に設けることが好ましい。
また、上下面に設けた撹拌用フィン１７の形状、大きさが同一であるが、形状、大きさを異なる撹拌用フィン１７を設けても良い。
また、撹拌用フィン１７はプレート１４の外周縁にのみ下向き、又は上向きに設けても良い。
いずれにしても、回転錘５が回転することで空間部３ａ内の空気が撹拌されて薬剤４の表面に沿って空気の流れが発生するようにすれば良い。
【００３４】
図３では、薬剤取付部が環状凹部１２としてあるが、その薬剤取付部は下部本体１０の底面板１０ａの中央に設けた凸部としても良い。この場合には薬剤４の中央部に凸部が嵌合する穴を形成する。
【００３５】
前述の各実施の形態では上部本体１１を外して薬剤４を交換するようにしたが、器具本体３の裏面側から薬剤を着脱自在に取付けるようにしても良い。
例えば、図５に示すように、下部本体１０の底面板１０ａに薬剤取付用の開口部３０を形成し、この開口部３０に薬剤容器３１を取付け、取り外し自在に取付ける。
この薬剤容器３１に薬剤４を、その薬剤４に空間部３ａ内の空気が触れるように取付ける。
この場合には回転錘５の回転軸１３は上部本体１１又は前述の支持部材２０に回転自在に支承することが好ましい。
【００３６】
また、器具本体３の裏面にバンド２ａを取付けできないので、バンド２ａを一側バンド２ｄと他側バンド２ｅに分割し、その一側バンド２ｄ、他側バンド２ｅの長手方向端部を下部本体１０の底面板１０ａにおける開口部３０と隣接した部分にそれぞれ取付ける。
【００３７】
前述の各実施の形態では薬剤４を器具本体３の裏面側に取付けたが、表面側に取付けても良い。
例えば、図６に示すように、上部本体１１の上面板１１ａの内面に薬剤取付部１１ｃを形成し、その薬剤取付部１１ｃに薬剤４を着脱自在に取付ける。
回転錘５の回転軸１３は下部本体１０の下面板１０ａにのみ回転自在に支承する。
【００３８】
このようにすれば、上部本体１１を取り外すことで薬剤４を交換できるから、その薬剤交換が簡単でやり易い。
【００３９】
図７に示すように、器具本体３を一体形状とし、その上面３ｃに薬剤取付用の開口部３２を形成する。
この開口部３２に薬剤取付部材３３を嵌合して着脱自在に取付け、その薬剤取付部材３３に薬剤４を取付ける。
【００４０】
このようにすれば、薬剤取付部材３３を取り外して薬剤を交換でき、その薬剤交換が簡単でやり易い。
【符号の説明】
【００４１】
１…薬剤拡散器具、２…着用具、３…器具本体、３ａ…空間部、３ｂ…裏面、４…薬剤、５…回転錘、６…空気流通口、１３…回転軸、１７…撹拌用フィン。
【図１】
0005460785.tif 000002
【図２】
0005460785.tif 000003
【図３】
0005460785.tif 000004
【図４】
0005460785.tif 000005
【図５】
0005460785.tif 000006
【図６】
0005460785.tif 000007
【図７】
0005460785.tif 000008